(57)【要約】【課題】  各種機能用キーとカーソルキー・決定キーとが近くに配置されていないとリモコンを持ち替えてからカーソルキーを押さねばならないまたは指の移動量が大きくなり、操作性が悪いという問題があった。また、カーソルキーとジョグ用のダイヤルリングを兼用し一体化した場合には、ダイヤルリングを回すときに強く押しながら回すと、カーソルキーを押してしまい誤操作してしまう場合があるという問題があった。【解決手段】  複数の操作キーが円環状に配列された操作キー群と、前記操作キー群の内側に配設され前記操作キー群の円環の略中心を回転中心としたダイヤルキーと、前記ダイヤルキーの内側に円環状に配設されたカーソルキーと、前記操作キー群の円環の略中心位置に配設された決定キーとを有することを特徴とする入力装置。【選択図】  図１
2007036508.tif 000002
【特許請求の範囲】
【請求項１】
複数の操作キーが円環状に配列された操作キー群と、前記操作キー群の内側に配設され前記操作キー群の円環の略中心を回転中心としたダイヤルキーと、前記ダイヤルキーの内側に配設されたカーソルキーと、前記操作キー群の円環の略中心位置に配設された決定キーとを有することを特徴とする入力装置。
【請求項２】
請求項１記載の入力装置において、前記ダイヤルキーの上面は、前記操作キー群の上面及びまたは前記カーソルキーの上面よりも上の位置にあることを特徴とする入力装置。
【請求項３】
請求項１乃至２記載の入力装置において、前記ダイヤルキーの上面には滑り止めのための加工がなされていることを特徴とする入力装置。
【請求項４】
請求項１乃至３記載の入力装置と、赤外線による送信手段を設けたことを特徴とするリモートコントロール装置。
【発明の詳細な説明】
【技術分野】
【０００１】
本発明は、各種ＡＶ機器や家電製品を操作可能な入力装置をリモートコントロール装置および操作パネルに利用する技術に関するものである。  
【背景技術】
【０００２】
本技術分野の背景技術として、例えば、特許文献１がある。該公報には、課題として「装置の大型化を防止するとともに、操作性を向上させる。」と記載され、解決手段として 「 リモートコマンダには、ＤＶＤの変速再生を行わせるときに回転操作されるジョグシャトル部２１と、カーソルを移動させる方向を指示するときに操作されるカーソル部２２とが一体的に設けられている。」と記載されている。
【０００３】
また、別の背景技術として、例えば、非特許文献１があり、この取扱説明書１２ページに記載されているリモコンでは、円環状に配列された番組表釦や機能選択釦等の釦群と、その釦群の内側に上下左右のカーソルキーとジョグ用のダイヤルリングを一体化したマルチジョグキーと、マルチジョグキーの内側に決定キーとを配置している。また、本取扱説明書３０ページには、予約録画するための操作として、外側の釦群の番組表釦を押し、表示されたメニュー表示に従ってマルチジョグキーを回転またはカーソルキー部を押して希望の番組を選び決定キーを押すと予約が完了すると記載されている。  
【特許文献１】特開平１０−１９９１２４号公報
【非特許文献１】（株）松下電器産業製ＤＶＤレコーダＤＭＲ−ＥＨ６０取扱説明書１２ページ、３０ページ
【発明の開示】
【発明が解決しようとする課題】
【０００４】
ＡＶ機器や家電製品の情報を入力するリモートコントロール装置（以下リモコン）は、ＤＶＤ記録再生装置などに適用され、ＤＶＤの特性を生かした様々な再生処理、記録処理を行うことができるようになっている。例えば、記録されている番組の代表画のサムネイル画一覧からカーソルキーと決定キーを使用して希望の番組を再生する等の利便性を増した再生処理を行えるようになっている。また、コマ送りなどの変速再生を行うためのジョグダイヤルキーも必要となっており、機能の増加とともにリモコン上の操作釦も増加する傾向にある。
【０００５】
一方、番組表表示やサムネイル表示などの各種機能用のキーを搭載し、上記カーソルキーや決定キーとともに使用して希望の機能を起動することが行われるようになってきた。このような同時に使用するキーを近くに配置しておくことが操作性の面から希望されている。
【０００６】
しかしながら、上記特許文献１記載の従来技術では、各種機能用キーとカーソルキー・決定キーとの配置では、近くにキーが配置されていないため、まず各種機能キーを押しやすいようにリモコンを持って各種機能キーを押し、その後カーソルキーが押しやすいようにリモコンを持ち替えてからカーソルキーを押さねばならないかまたは指の移動量が大きくなる場合があった。
【０００７】
持ち替える必要をなくし操作性を改善するために非特許文献１記載の従来技術では、各種機能用キーとダイヤルリングとカーソルキー兼用のマルチジョグキーと決定キーとを近くに配置している。しかしながら、変速再生やメニュー選択時などにダイヤルリングを回す時には指が滑らないようにダイヤルリングを押しながら回す必要があるが、非特許文献１記載の従来技術では、カーソルキーとジョグ用のダイヤルリングを一体化し兼用しているため、ダイヤルリングを回すときに強く押しながら回すと、カーソルキーを押してしまう場合があった。
【０００８】
本発明の課題は、ユーザの操作性を向上することが可能な入力装置を提供することにある。
【課題を解決するための手段】
【０００９】
上記課題は、特許請求の範囲に記載の発明により達成される。
【発明の効果】
【００１０】
本発明によれば、ユーザの操作性を向上するものである。
【発明を実施するための最良の形態】
【００１１】
以下、本発明によるＨＤＤ内蔵ＤＶＤ記録再生装置用のリモコンの実施形態を、図１〜図５を用いて説明する。
【００１２】
ＨＤＤ内蔵ＤＶＤ記録再生装置用のリモコンに本発明が適用された場合について、図１を参照して説明する。図１は、本発明によるＨＤＤ内蔵ＤＶＤ記録再生装置用のリモコンの正面図である。
【００１３】
リモコン１には、電源入切や入力切換等の基本操作を行うための基本操作キー群１１、放送番組を受信等するための受信キー群１２、各種設定を行うためにメニューなどを呼び出すための設定キー群１３、各種機能を起動するための主要機能キーとジョグ操作のための回動可能なダイヤルキーと選択するための上下左右のカーソルキーと選択項目を決定するための決定キーとで構成される機能キー群１４、ＤＶＤやＨＤＤの記録再生の操作をするための録画・再生キー群１５、放送種類などを表示するための表示部１６とが分かれて配置してある。これは、関連する操作に関するキーを近くに配置して、操作性を向上するためである。
【００１４】
次に、本発明によるリモコンにおける入力装置のキー配置について、図２を用いて説明する。図２は、本発明によるリモコン１の機能キー群１４の拡大図である。
【００１５】
リモコン１表面に配置された機能キー群１４には、円環状に複数の主要機能のための主要機能キー群２１が配列され、主要機能キー群２１の内側に主要機能キー群２１の円環の略中心を回転中心にして時計周り反時計周りに回動自在なダイヤルキー２２を配設し、ダイヤルキー２２の内側に上下左右方向を選択することが出来るカーソルキー２３を配設し、主要機能キー群２１の円環の略中心に決定キー２４を配設している。さらに、主要機能キー群２１は、番組表キー２１ａ、ミルカモキー２１ｂ、戻るキー２１ｃ、ＨＤＤキー２１ｄ、ＤＶＤキー２１ｅ、べんりキー２１ｆ、連ドラキー２１ｇ、デイスクナビゲーションキー２１ｈで構成されている。また、ダイヤルキー２２の上側表面には滑り止めのために、所定の個数の凸部２２ａが形成されている。
【００１６】
ここで、ＨＤＤ内蔵ＤＶＤ記録再生装置（図示せず）に装着したＤＶＤディスクに記録されている番組から希望の番組を選択し再生する時の操作について説明する。始めに、最外周に配設された主要機能キー２１のＤＶＤキー２１ｅさらにデイスクナビゲーションキー２１ｈを押し、ＨＤＤ内蔵ＤＶＤ記録再生装置（図示せず）に装着したＤＶＤディスクに記録されている番組の代表画のサムネイル画一覧を表示装置（図示せず）に表示させる。サムネイル一覧を見ながら、カーソルキー２３の上下左右の三角部を押すかまたはダイヤルキー２２を回転することにより希望の番組を選択し、決定キー２４を押すことで希望の番組を再生することができる。さらに、再生中にコマ送り等の変速再生をする場合にはダイヤルキー２２を使用することもできる。
【００１７】
このように、独立操作ができる主要機能キー２１とダイヤルキー２２とカ−ソルキー２３と決定キー２４を集中配置することで、誤操作を回避できるとともにユーザの持ち替えや操作時の指移動量を少なくし操作性を向上することができる。また、本実施例のように多数のキーを同心円状に集中配置することによりリモコンの小型化を図ることもできる。
【００１８】
本発明による入力装置の内部構成について、図３を用いて説明する。図３は、本発明によるリモコン１の機能キー群１４の図２のＡ−Ａ’部の断面図である。
【００１９】
ジョグダイヤル用の回転部と、カーソルキー用の上下左右及び決定キー用の押下を検知するためのシャトルユニット３１の中心部の軸３１ａの先端部に決定キー２４、その下側にカーソルキー２３が取り付けられており、回転部３１ｂにダイヤルキー２２が取り付けられている。さらにシャトルユニット３１はシャトル基板３２に搭載されている。ここで、軸３１ａは垂直方向に押すと決定キー入力となり、ダイヤルキー２２の上下左右の三角部分を押した時に斜めに傾くと傾いた方向のカーソルキーの入力となるように構成されている。また、回転部３１ｂは回転を検知することができるようになっている。
【００２０】
基本操作キー群１１等のスイッチ部が搭載されているメイン基板３５には主要機能キー群２１のミルカモキー２１ｂやべんりキー２１ｆ用のタクトスイッチ３４が搭載され、その上に上ケース３３の開口部を通してミルカモキー２１ｂやべんりキー２１ｆが外部に露出するように配置してある。また、メイン基板３５上には電源キー等用のゴムシート３７が配置され、メイン基板３５上に形成した接点をゴムシート３７を押すことにより入力とするようになっている。上ケース３３の上面には透明なアクリルパネル３８が固定され表示部１６の液晶パネル表面を保護している。シャトル基板３２とメイン基板３５は下ケース３６に固定されている。
【００２１】
本発明による入力装置の各キーの高さ位置関係を図４を用いて説明する。図４は、本発明による入力装置の断面拡大図である。
【００２２】
ダイヤルキー２２とカーソルキー２３とでは寸法Ｌ１（例えば、０．６５ｍｍ）だけダイヤルキー２２の方が高くなっている。また、ダイヤルキー２２と主要機能キー２１のミルカモキー２１ｂとでは寸法Ｌ２（例えば、０．５ｍｍ）だけダイヤルキー２２の方が高くなっている。すなわち、ダイヤルキー２２は隣接するキーより高く飛び出すように配置されているので隣接キーが邪魔をすることなくダイヤルキー２２を操作できるので、誤操作も避けられさらに操作性が向上する。
【００２３】
また、ここで主要機能キー２１は硬質材で形成しているので、ミルカモキー２１ｂは変形することがないので、隣接するダイヤルキー２２や上ケース３３、アクリルパネル３８との隙間を小さくすることができる。それにより、リモコンを小型化することができる。
【００２４】
本発明によるダイヤルキー２２の形状について図５を用いて説明する。図５は、本発明によるダイヤルキー２２の図２のＢ−Ｂ’部の断面図である。
【００２５】
ダイヤルキー２２の上側の表面には、所定の個数の凸部２２ａが形成されている。凸部２２ａは寸法Ｌ３（例えば、０．５ｍｍ）だけ飛び出しているので、ユーザがダイヤルキー２２を回転させる時にはこの凸部２２ａに指が引っかかるため操作性がさらに向上する。
【００２６】
尚、本実施例ではダイヤルキー２２の滑り止めのための加工として所定個数の凸部２２ａを設けた場合で説明したが、滑り止め加工はこれに限るものではなく、他の滑り止めのための加工でも良い。例えば、表面を凸凹上にしたり、摩擦係数の大きなシートを貼ったり塗料を塗布しても構わない。
また、図２に示した機能キー群を各種ＡＶ機器や家電製品の操作パネルに利用しても有効である。
【図面の簡単な説明】
【００２７】
【図１】本発明によるリモコンの正面図
【図２】本発明によるリモコン１の機能キー群１４の拡大図
【図３】本発明によるリモコンの図１の機能キー群１４のＡ−Ａ’部の断面図
【図４】本発明による入力装置の断面拡大図
【図５】本発明によるダイヤルキーの断面図
【符号の説明】
【００２８】
１…リモコン、１１…基本操作キー群、１２…受信キー群、１３…設定キー群、
１４…機能キー群、１５…録画・再生キー群、１６…表示部、２１…主要機能キー群、
２２…ダイヤルキー、２３…カーソルキー、２４…決定キー、２１ａ…番組表キー、
２１ｂ…ミルカモキー、２１ｃ…戻るキー、２１ｄ…ＨＤＤキー、２１ｅ…ＤＶＤキー、
２１ｆ…べんりキー、２１ｇ…連ドラキー、２２ａ…凸部、３１…シャトルユニット、
３１ａ…軸、３１ｂ…回転部、３２…シャトル基板、３３…上ケース、
３４…タクトスイッチ、３５…メイン基板、３６…下ケース、３８…アクリルパネル
【図１】
2007036508.tif 000003
【図２】
2007036508.tif 000004
【図３】
2007036508.tif 000005
【図４】
2007036508.tif 000006
【図５】
2007036508.tif 000007